【手続補正書】
【提出日】令和2年4月15日(2020.4.15)
【手続補正１】
【補正対象書類名】明細書
【補正対象項目名】００６１
【補正方法】変更
【補正の内容】
【００６１】
ステップ１２０で、推定潤滑剤レベルはストロークカウント値と基準値を使用して算出される。ステップ１１８について上述したように、基準値はストロークカウント値の予測上限である。潤滑剤レベル推定器４０は、ストロークカウント値と基準値とに基づいて、推定潤滑剤レベルを算出する。潤滑剤レベル推定器４０は所望の形式、潤滑剤貯留槽２６に残存している潤滑剤の割合、潤滑剤貯留槽２６から消失された潤滑剤の割合、潤滑剤貯留槽２６が空となるまで残存しているポンプストロークの数、潤滑剤貯留槽２６が空となるまで残存している潤滑剤サイクルの数、潤滑剤貯留槽２６に残存している潤滑剤の量、潤滑剤貯留槽２６から分散された潤滑剤の量、などとして、推定潤滑剤レベルを供給することができる。
【手続補正２】
【補正対象書類名】明細書
【補正対象項目名】００６２
【補正方法】変更
【補正の内容】
【００６２】
ステップ１２２で、潤滑剤レベル推定器４０は、報知装置２２に推定潤滑剤レベルを通知している表示信号を用いて、図１で示す報知装置２２のような報知装置に表示信号を供給する。報知装置２２は、推定潤滑剤レベルのユーザに対して表示或いは警告をする。潤滑剤レベル推定器４０は推定潤滑剤レベルを継続的に供給するように構成されている。
【手続補正３】
【補正対象書類名】明細書
【補正対象項目名】００６３
【補正方法】変更
【補正の内容】
【００６３】
図３Ｂのステップ１１２で、潤滑剤レベル推定器４０は貯留槽組立体の信号を監視する。仮に、受信した信号が貯留槽充満信号であると、そのとき潤滑剤レベル推定器４０はカウントリセットルーチンによる工程に入る。ステップ１２４で、潤滑剤レベル推定器４０が貯留槽充満信号を受けたか、否かを確認する。仮に答えがＮＯなら、そのとき潤滑剤レベル推定器４０はステップ１１２に戻り、貯留槽組立体の信号を継続的に監視する。潤滑剤レベル推定器４０により貯留槽充満信号が受信されなかったので、潤滑剤貯留槽２６は補充されておらず、潤滑剤レベル推定器４０は現在の推定サイクルについて、潤滑剤レベルを推定することを継続する。
【手続補正４】
【補正対象書類名】明細書
【補正対象項目名】００６４
【補正方法】変更
【補正の内容】
【００６４】
仮にステップ１２４の答えがＹＥＳなら、そのとき潤滑剤レベル推定器４０は、潤滑剤貯留槽２６が潤滑剤で補充されたという貯留槽充満信号を受ける。貯留槽充満信号は、潤滑剤貯留槽２６内の実際の潤滑剤レベルが最大貯留量になっていることを示している。貯留槽充満信号は、高レベルセンサ１４（図１〜図２Ｂ参照）により生成されている。高レベルセンサ１４は、潤滑剤貯留槽２６が補充されている場合、潤滑剤貯留槽２６の実際の潤滑剤レベルが貯留槽充満レベルに到達したときを検出する。高レベルセンサ１４は、貯留槽充満信号を生成して潤滑剤レベル推定器４０に貯留槽充満信号を供給する、実際の潤滑剤レベルが貯留槽充満レベルであることを潤滑剤レベル推定器４０に知らせるために。
【手続補正５】
【補正対象書類名】明細書
【補正対象項目名】００６５
【補正方法】変更
【補正の内容】
【００６５】
ステップ１２６で、潤滑剤レベル推定器４０は、貯留槽充満信号に応じて、ストロークカウント値をゼロにリセットする。ストロークカウント値をゼロにリセットすると共に、推定潤滑剤レベルを最大貯留容量にリセットする。このように、ポンプストロークが未だ発生していないことを示している、現在のカウントがゼロであるので、特定の推定サイクルの開始時に、推定潤滑剤レベルが実際の潤滑剤レベルに一致し、よって貯留槽から潤滑剤は排出されてない。潤滑剤レベル推定器４０は、新たな推定サイクルで潤滑剤レベルを推定するためにリセットされる。ここで、潤滑剤レベル推定器４０はステップ１１２に戻り、次の推定サイクルを通して推定潤滑剤レベルを提供するため、貯留槽組立体の信号の監視を継続する。
【手続補正６】
【補正対象書類名】明細書
【補正対象項目名】００６６
【補正方法】変更
【補正の内容】
【００６６】
図３Ｃのステップ１１２で、潤滑剤レベル推定器は貯留槽組立体の信号を監視する。仮に、受信した信号が低レベル信号であるなら、潤滑剤レベル推定器４０は調整ルーチンでの工程に進む。ステップ１２８−１３２は調整工程であり、これにより、潤滑剤レベル推定器４０は、潤滑システムで使用されるポンプに関しポンプストローク当たりの実際の排出量に基づいて、より正確な推定潤滑剤レベルを供給するために調整される。ステップ１２８で、潤滑剤レベル推定器は低レベル信号を受信したか否かを確認する。仮にステップ１２８の答えがＮＯであるなら、潤滑剤レベル推定器４０はステップ１１２に戻り、貯留槽組立体の信号を監視することを継続する。潤滑剤レベル推定器により低レベル信号が受信されなかったので、潤滑剤レベル推定器は、調整基準値により、推定潤滑剤レベルを推定することを継続することができる。
【手続補正７】
【補正対象書類名】明細書
【補正対象項目名】００６７
【補正方法】変更
【補正の内容】
【００６７】
仮に、ステップ１２８の答えがＹＥＳなら、潤滑剤貯留槽２６内の実際の潤滑剤レベルが貯留槽充満レベルから所定の低レベルに低下したということを知らせる低レベル信号を潤滑剤レベル推定器４０が受ける。低レベル信号は好ましくは、図１に示した低レベルセンサ３０のような低レベルセンサによって生成され、低レベル信号は潤滑剤レベル推定器４０に供給される。低レベルセンサは、貯留槽内で実際の潤滑剤レベルが所定の低レベルに到達したとき、これを検出するように構成されている。実際の潤滑剤レベルが所定の低レベルに達したとき、低レベルセンサ３０は低レベル信号を生成し、この低レベル信号は潤滑剤レベル推定器４０へ通信される。
【手続補正８】
【補正対象書類名】明細書
【補正対象項目名】００６８
【補正方法】変更
【補正の内容】
【００６８】
ステップ１３０で、真のカウントが生成される。潤滑剤レベル推定器４０は、低レベル信号が真のカウントとして受信されたときに、ストロークカウント値を保存する。真のカウントは、潤滑剤貯留槽２６内の実際の潤滑剤レベルを貯留槽充満レベルから所定の低レベルへ低下させるのに、必要なポンプストロークの数を表している。潤滑剤貯留槽容積と所定のレベルの双方は知られているので、実際の潤滑剤レベルが所定のレベルに到達するために排出しなければならない潤滑剤の容積が分かる。ポンプストローク当たりの実際の排出量は、潤滑剤貯留槽２６内の実際の潤滑剤レベルを貯留槽充満レベルから所定のレベルに低下させるために必要な潤滑剤の総容積を真のカウントで割ることにより、真のカウントにより算出される。このように、各ポンプストロークについて実際の排出量は、所定のレベルに到達するために消費された潤滑剤の容積と真のカウントに基づいて算出することができる。
【手続補正９】
【補正対象書類名】明細書
【補正対象項目名】００６９
【補正方法】変更
【補正の内容】
【００６９】
ステップ１３２で、基準値は、調整基準値を生成するため、真のカウントに基づいて調整される。調整基準値は、ポンプストローク当たりの推定排出量を、真のカウントから算出された、ポンプストローク当たりの実際の排出量で置換え、そして、最大貯留容量を実際の排出量で割る、ことにより算出される。最大貯留容量をポンプストローク当たりの実際の排出量で割ることは、潤滑剤貯留槽２６を空にするために必要なポンプストロークの予測数を与え、ここで各ポンプストロークは、真のカウントから算出されたように、ポンプストローク当たりの実際の排出量を排出する。調整基準値はメモリ４４に格納されており、調整基準値は次の推定サイクルで利用することができる。例えば、調整基準値は図３Ａのステップ１１８でメモリから呼出され、調整基準値は推定ルーチンで利用される。このように、調整基準値はストロークカウント値の修正された上限を表し。ここで修正された上限は、真のカウントから算出された実際の排出量を置換えている各ポンプストロークに基づいている。